(57)【特許請求の範囲】
【請求項１】
塵芥投入箱に配置されたガイドレールに沿って昇降自在に設けられたパッカープレートと、このパッカープレートの下端部に回動自在に設けられたプレスプレートとを備えた塵芥収集車の塵芥積込装置において、
前記プレスプレートを、パッカープレートの下端部に枢軸を介して回動自在に設けられた根元側プレートと、この根元側プレートの下端部に枢軸を介して回動自在に設けられた先端側プレートとに高さ方向に分割して構成し、前記根元側プレートおよび先端側プレートを別々の回動手段で別々または一体的に回動させることを特徴とする塵芥収集車の塵芥積込装置。
【請求項２】
前記根元側プレートおよび先端側プレートを、反転時に別々に回動させ、正転時に一体的に回動させることを特徴とする請求項１記載の塵芥収集車の塵芥積込装置。
【請求項３】
前記根元側プレートおよび先端側プレートを、反転時に別々に回動させ、正転時に一体的に回動させる操作と、反転時および正転時に一体的に回動させる操作とに切換え可能であることを特徴とする請求項１記載の塵芥収集車の塵芥積込装置。
【発明の詳細な説明】
【０００１】
【発明の属する技術分野】
本発明は、塵芥収容箱の中に積み込まれた塵芥が、塵芥投入箱側へ逆流するのを防止するようにした塵芥収集車の塵芥積込装置に関する。
【０００２】
【従来の技術】
一般に、塵芥収集車では、車体上に塵芥収容箱が載置され、これの後方に塵芥を投入するための塵芥投入箱が連接されている。塵芥投入箱内では、投入された塵芥が塵芥積込装置により塵芥収容箱内に積み込まれるように構成されている。
【０００３】
前記塵芥積込装置の一例を、図４および図５によって説明する。この塵芥積込装置は、図４に示すように、塵芥投入箱１の両側板１ａ，１ａ（一方のみ図示）に各々前方上部から後方下部に向って傾斜する一対のガイドレール２，２を設け、この一対のガイドレール２，２間にパッカープレート３をガイドローラ４，４を介して昇降自在に設けるとともに、このパッカープレート３の下端部に枢軸５を介してプレスプレート６を回動自在に設け、プレスプレート６を図示しない回動用シリンダーにより枢軸５を支点に回動させ、パッカープレート３を図示しない昇降用シリンダーによりガイドレール２，２に沿って昇降させるように構成されている。尚、パッカープレート３およびプレスプレート６は、その外幅寸法が塵芥投入箱１の両側板１ａ，１ａの内幅寸法よりも少し狭く設定されており、両側板１ａ，１ａ間を塵芥を遮蔽しながら動作することができる。
【０００４】
このように構成された塵芥積込装置の作用を図５によって説明する。
【０００５】
先ず、前回の塵芥の積込が終了したときには、図５（ａ）に示すような状態にある。即ち、パッカープレート３が上昇終端位置にあり、プレスプレート６が正転終端位置にある。この状態で次回の塵芥が塵芥投入箱１内に投入される。
【０００６】
次に、プレスプレート６を、図５（ａ）の状態から図５（ｂ）に示す状態まで反転（図中反時計方向に回動）させる。
【０００７】
次に、パッカープレート３を、図５（ｂ）の状態から図５（ｇ）に示す状態までガイドレール２，２に沿って下降させる。パッカープレート３には、プレスプレート６が枢支されているので、プレスプレート６もパッカープレート３の下降に伴って同時に下降する。これにより、塵芥投入箱１のドラム板１ｂ上の塵芥がプレスプレート６により一次圧縮される。
【０００８】
次に、プレスプレート６を、図５（ｇ）の状態から図５（ｈ）に示す状態まで正転（図中時計方向に回動）させる。これにより、一次圧縮された塵芥がプレスプレート６により二次圧縮される。
【０００９】
次に、パッカープレート３を、図５（ｈ）の状態から図５（ａ）に示す状態までガイドレール２，２に沿って上昇させる。これにより、二次圧縮された塵芥がプレスプレート６により塵芥投入箱１の前方（図中左方）に配されている図示しない塵芥収容箱の中に積み込まれる。以上をもって一巡の積込サイクルが終了し、以後以上と同様の操作を繰り返す。
【００１０】
【発明が解決しようとする課題】
図４に示す塵芥積込装置では、前回の塵芥の積込が完了した状態から次回の塵芥の積込に移る際に、即ち、プレスプレート６が反転されると、図５（ｂ）に示すように、パッカープレート３の下端と塵芥投入箱１のドラム板１ｂの前方上端１ｂ’との間に大きな開口部（図示Ａ部）が形成される。そのため、塵芥収容箱が満杯に近い状態になると、前回の積込サイクルで塵芥収容箱の中に積み込まれた塵芥の一部が塵芥投入箱１側に逆流することがある。これにより、次回の塵芥投入箱１への塵芥投入量が制限され、作業効率が悪化する等の不具合がある。
【００１１】
本発明は、このような事情に鑑みてなされたもので、塵芥収容箱の中に積み込まれた塵芥が塵芥投入箱側に逆流するのを防止することができる塵芥収集車の塵芥積込装置を提供することを目的とする。
【００１２】
【課題を解決するための手段】
上記目的を達成するため、本発明は、塵芥投入箱に配置されたガイドレールに沿って昇降自在に設けられたパッカープレートと、このパッカープレートの下端部に回動自在に設けられたプレスプレートとを備えた塵芥収集車の塵芥積込装置において、前記プレスプレートを、パッカープレートの下端部に枢軸を介して回動自在に設けられた根元側プレートと、この根元側プレートの下端部に枢軸を介して回動自在に設けられた先端側プレートとに高さ方向に分割して構成し、前記根元側プレートおよび先端側プレートを別々の回動手段で別々または一体的に回動させることを特徴としている。例えば、根元側プレートおよび先端側プレートを、反転時に別々に回動させ、正転時に一体的に回動させる操作を行わせることができる。また、根元側プレートおよび先端側プレートを、反転時に別々に回動させ、正転時に一体的に回動させる操作と、反転時および正転時に一体的に回動させる操作とに切換え可能な構成とすることもできる。
【００１３】
【発明の実施の形態】
以下、本発明に係る塵芥収集車の塵芥積込装置の一実施形態を図１乃至図３によって説明する。尚、図４および図５と同一または対応部分には同一符号を付して説明する。
【００１４】
図１において、１１はプレスプレートで、パッカープレート３の下端部に枢軸１２を介して回動自在に設けられた根元側プレート１３と、この根元側プレート１３の下端部に枢軸１４を介して回動自在に設けられた先端側プレート１５とに高さ方向に分割して構成されている。根元側プレート１３の背面に位置するブラケット１３ａとパッカープレート３の背面に位置するブラケット（図示せず）の間には図示しない根元側回動用シリンダーが連結されており、この根元側回動用シリンダーによって根元側プレート１３を枢軸１２を支点に回動する。先端側プレート１５の背面に位置するブラケット１５ａとパッカープレート３の背面に位置するブラケット１５ａ’の間には図示しない先端側回動用シリンダーが連結されており、この先端側回動用シリンダーによって根元側プレート１３および先端側プレート１５を一体的に枢軸１２を支点に回動、または先端側プレート１５を根元側プレート１３とは別に枢軸１４を支点に回動する。尚、根元側回動用シリンダーおよび先端側回動用シリンダーは、シーケンス制御によって自動的に根元側プレート１３および先端側プレート１５を別々または一体的に回動させる。
【００１５】
次に、本発明の塵芥積込装置の作用を図３によって説明する。
【００１６】
先ず、前回の塵芥の積込が終了したときには、図３（ａ）に示すような状態にある。即ち、パッカープレート３が上昇終端位置にあり、プレスプレート１１が正転終端位置にある。この状態で次回の塵芥が塵芥投入箱１内に投入される。
【００１７】
次に、プレスプレート１１の先端側プレート１５を、図３（ａ）の状態から図３（ｂ）に示す状態まで枢軸１４を支点に反転（図中反時計方向に回動）させる。この状態では、パッカープレート３の下端と塵芥投入箱１のドラム板１ｂの前方上端１ｂ’との間には、プレスプレート１１の根元側プレート１３が位置されている。そのため、プレスプレート１１の根元側プレート１３によりパッカープレート３の下端と塵芥投入箱１のドラム板１ｂの前方上端１ｂ’との間の開口部が狭くなり、塵芥収容箱の中に積み込まれた塵芥が塵芥投入箱１側に逆流するのを防止することができる。
【００１８】
次に、パッカープレート３を、図３（ｂ）の状態から図３（ｆ）に示す状態までガイドレール２，２に沿って下降させる。パッカープレート３には、プレスプレート１１が枢支されているので、プレスプレート１１もパッカープレート３の下降に伴って同時に下降する。このとき、パッカープレート３が下降を開始すると同時に、プレスプレート１１の根元側プレート１３を、図３（ｂ）の状態から図３（ｆ）に示す状態まで枢軸１２を支点に反転（図中反時計方向に回動）させるとともに、先端側プレート１５を、図３（ｂ）の状態から図３（ｆ）に示す状態まで枢軸１４を支点に正転（図中時計方向に回動）させる。これにより、図３（ｆ）の状態の位置では、根元側プレート１３が完全に反転されるとともに、先端側プレート１５が根元側プレート１３に対して一直線状に配置される。この状態をプレスプレート１１の全反転状態と呼ぶ。尚、プレスプレート１１が全反転状態になるときの高さ方向の位置は、塵芥の種類、大きさ、量等に応じてシーケンス制御によりダイヤルで任意に設定することが可能である。
【００１９】
更に、パッカープレート３は、図３（ｆ）の状態から連続動作で図３（ｇ）に示す状態までガイドレール２，２に沿って下降する。つまり、この図３（ｆ）の状態から図３（ｇ）の状態の間では、パッカープレート３の下降に伴って全反転状態のプレスプレート１１が更に下降されることにより、塵芥投入箱１のドラム板１ｂ上の塵芥がプレスプレート１１により一次圧縮される。
【００２０】
次に、プレスプレート１１を、図３（ｇ）の状態から図３（ｈ）に示す状態まで正転させる。即ち、プレスプレート１１の根元側プレート１３および先端側プレート１５を一直線状に維持させながら枢軸１２を支点に一体的に正転させる。これにより、一次圧縮された塵芥がプレスプレート１１により二次圧縮される。
【００２１】
次に、パッカープレート３を、図３（ｈ）の状態から図３（ａ）に示す状態までガイドレール２，２に沿って上昇させる。これにより、二次圧縮された塵芥がプレスプレート１１により塵芥収容箱の中に積み込まれる。以上をもって一巡の積み込みサイクルが終了し、以後以上と同様の操作を繰り返す。
【００２２】
尚、上記動作は、塵芥収容箱の中に積み込まれた塵芥が、塵芥投入箱１側に逆流するのを防止する場合について述べているが、塵芥積込状況や塵芥の種類、大きさ、量等によりスイッチの切換えで逆流防止させない塵芥の積込操作も可能である。すなわち、逆流防止させる場合には、上述のように、プレスプレート１１の根元側プレート１３および先端側プレート１５を、反転時に別々に回動させ、正転時に一体的に回動させるが、逆流防止させない場合は、反転時および正転時ともに一体的に回動させる。
【００２３】
【発明の効果】
以上述べたように、本発明によれば、プレスプレートを、パッカープレートの下端部に回動自在に設けられた根元側プレートと、この根元側プレートの下端部に回動自在に設けられた先端側プレートとに高さ方向に分割して構成し、前記根元側プレートおよび先端側プレートを別々の回動手段で別々または一体的に回動させることにより、前回の塵芥の積込が完了した状態から次回の塵芥の積込に移る際に、プレスプレートの根元側プレートによりパッカープレートの下端と塵芥投入箱のドラム板の前方上端との間の開口部を狭くすることが可能であり、塵芥収容箱の中に積み込まれた塵芥が塵芥投入箱側に逆流するのを防止することができて積込能率の向上が期待できる。
【図面の簡単な説明】
【図１】本発明に係る塵芥収集車の塵芥積込装置を示す縦断側面図。
【図２】本発明に係る塵芥収集車の塵芥積込装置で用いるプレスプレートを示す図面。
【図３】本発明に係る塵芥収集車の塵芥積込装置の動作状態を示す概略図。
【図４】従来の塵芥収集車の塵芥積込装置を示す縦断側面図。
【図５】従来の塵芥収集車の塵芥積込装置の動作状態を示す概略図。
【符号の説明】
１  塵芥投入箱
１ｂ  ドラム板
２  ガイドレール
３  パッカープレート
４  ガイドローラ
１１  プレスプレート
１２  枢軸
１３  根元側プレート
１４  枢軸
１５  先端側プレート
【図１】
0004509318.tif 000002
【図２】
0004509318.tif 000003
【図３】
0004509318.tif 000004
【図４】
0004509318.tif 000005
【図５】
0004509318.tif 000006